(57)【特許請求の範囲】
【請求項１】
所定の長さの固定刃と、その固定刃の長手方向に沿って回転しながら移動する回転刃とを備え、該回転刃と前記固定刃とにより被切断物を切断するカッタ装置において、
前記回転刃を回転可能に保持する回転刃保持部材と、該回転刃保持部材を前記固定刃の長手方向に沿って往復移動させる移動手段と、該移動手段に設けられて前記回転刃保持部材と係合した状態でその回転刃保持部材の往方向と復方向とに移動することにより該回転刃保持部材を前記固定刃の長手方向に沿って往復移動させる係合部材と、前記回転刃保持部材と前記係合部材との係合が外れないように該回転刃保持部材を当接させてその回転刃保持部材を前記固定刃の長手方向に移動可能にガイドする保持部材ガイドとを設け、
該保持部材ガイドと前記回転刃保持部材との間に、前記係合部材を往方向に移動させたときに前記回転刃保持部材が前記回転刃の進行方向の先端側が前記固定刃を押圧する方向に傾き、復方向に移動させたときに前記回転刃保持部材の傾きが逆側に変わって前記回転刃の進行方向の先端側が前記固定刃を押圧する方向に傾くのを許容する隙間を形成したことを特徴とするカッタ装置。
【発明の詳細な説明】
【０００１】
【発明の属する技術分野】
この発明は、所定の長さの固定刃と、その固定刃の長手方向に沿って回転しながら移動する回転刃とを備え、その回転刃と固定刃とにより被切断物を切断するカッタ装置に関する。
【０００２】
【従来の技術】
従来、このような固定刃と回転刃とにより被切断物を切断するカッタ装置としては、例えば図７に示すようなものがある。
このカッタ装置は、キャリッジ５１により回転刃５２を回転可能に支持し、そのキャリッジ５１を、間隔を置いて配設したプーリ５３と５４との間に張装したタイミングベルト５５に固定している。
【０００３】
そして、回転刃５２の刃先側の一部をタイミングベルト５５の張装方向に沿って配設している固定刃５６に接触させている。また、キャリッジ５１の背面には摺動突起５１ａ，５１ａを設けていて、その摺動突起５１ａ，５１ａが共にガイド板５７のガイド面に当接しながらキャリッジ５１が、タイミングベルト５５の正逆両方向の回動により往復移動するようになっている。
【０００４】
【発明が解決しようとする課題】
しかしながら、このようなカッタ装置の場合には、固定刃５６の上に紙等の被切断物を置いて回転刃５２を固定刃５６の刃先に沿って移動させることにより被切断物を切断するが、その回転刃５２の固定刃５６に対する接触状態によっては、被切断物がフィルムや布テープ等のように腰の弱いものであるときには、それをうまく切断することができない場合があった。
【０００５】
そこで、従来のカッタ装置には、例えば図８に示すように固定刃５６の長手方向に沿って回転しながら移動する回転刃５２を、予めその進行方向先端の刃先（図で右端）が固定刃５６を押圧する側に若干の角度θだけ傾くように設定することにより、回転刃５２の固定刃５６に対する密着度を高め、それにより腰の弱い被切断物であっても切断できるようにしたものがある。
【０００６】
しかしながら、このようにした場合には、回転刃５２を矢示Ａの往方向に移動させたときはよいが、それと逆の復方向においても被切断物を切断しようとしたときには、回転刃５２は復方向の移動側先端と固定刃５６との間には隙間Ｓａが形成されているため、被切断物を切断することができない。
したがって、このカッタ装置の場合には、矢示Ａの一方向だけしか切断ができないので、複数枚を切断すると復方向も被切断物を切断することができる場合に比べて、切断時間が多くかかってしまうという欠点があった。
【０００７】
この発明は上記の問題点に鑑みてなされたものであり、フィルムや布テープ等のように腰の弱い被切断物であっても、それを往方向と復方向の両方向について確実に切断することができるようにすることを目的とする。
【０００８】
【課題を解決するための手段】
この発明は上記の目的を達成するため、所定の長さの固定刃と、その固定刃の長手方向に沿って回転しながら移動する回転刃とを備え、その回転刃と固定刃とにより被切断物をカットするカッタ装置において、
上記回転刃を回転可能に保持する回転刃保持部材と、その回転刃保持部材を固定刃の長手方向に沿って往復移動させる移動手段と、その移動手段に設けられて上記回転刃保持部材と係合した状態でその回転刃保持部材の往方向と復方向とに移動することによりその回転刃保持部材を固定刃の長手方向に沿って往復移動させる係合部材と、上記回転刃保持部材と上記係合部材との係合が外れないようにその回転刃保持部材を当接させてその回転刃保持部材を固定刃の長手方向に移動可能にガイドする保持部材ガイドとを設ける。
【０００９】
また、その保持部材ガイドと上記回転刃保持部材との間に、上記係合部材を往方向に移動させたときに上記回転刃保持部材が回転刃の進行方向の先端側が固定刃を押圧する方向に傾き、復方向に移動させたときに上記回転刃保持部材の傾きが逆側に変わって回転刃の進行方向の先端側が固定刃を押圧する方向に傾くのを許容する隙間を形成する。
【００１０】
【発明の実施の形態】
以下、この発明の実施の形態を図面に基づいて説明する。
図１はこの発明によるカッタ装置の要部を一部断面にして示す平面図、図２は同じくそのカッタ装置の回転刃を保持するキャリッジが図１と逆の方向に揺動した状態を示す図１と同様な平面図、図３は同じくそのカッタ装置を側面から見た断面図、図４は同じくそのカッタ装置が備えている移動手段を説明するための平面から見た概略図である。
【００１１】
図１に示すカッタ装置は、装置の図示しないフレームに固定された所定の長さの固定刃１と、その固定刃１の長手方向に沿って形成された刃先に接触した状態で回転しながら同図で左右方向に移動する回転刃２とを備え、その回転刃２と固定刃１とにより、図３に示すように紙等の被切断物１０を切断する。
【００１２】
そして、このカッタ装置は、回転刃２を回転可能に保持する回転刃保持部材であるキャリッジ３と、そのキャリッジ３を固定刃１の長手方向となる図１の矢示Ｂ方向及びそれと反対の方向に沿って往復移動させる移動手段であるベルト駆動装置２０と、そのベルト駆動装置２０（図３と図４を参照）に設けられてキャリッジ３と係合した状態でそのキャリッジ３の往方向と復方向とに移動することによりキャリッジ３を固定刃１の長手方向に沿って往復移動させる係合部材８と、キャリッジ３と係合部材８との係合が外れないようにそのキャリッジ３の背面３ｃに形成している摺動突起２２，２２を当接させてそのキャリッジ３を固定刃１の長手方向（矢示Ｂ方向）に移動可能にガイドする保持部材ガイド１５とを設けている。
【００１３】
その保持部材ガイド１５のガイド面（内面）１５ａとキャリッジ３の摺動突起２２，２２の各頂上面との間には、図５に示すようにそのキャリッジ３の背面３ｃを保持部材ガイド１５のガイド面１５ａに対して平行に位置させたときに、次に説明するような隙間Ｓができるようにしている。
【００１４】
すなわち、図１に示すように係合部材８を矢示Ｂの往方向に移動させたときに、キャリッジ３が回転刃２の進行方向の先端側が固定刃１を押圧する方向に傾き、図２に示すように係合部材８を矢示Ｃの復方向に移動させたときにキャリッジ３の傾きが逆側に変わって回転刃２の進行方向の先端側が固定刃１を押圧する方向に傾くのを許容する図５に示した隙間Ｓを、摺動突起２２，２２の各頂上面と保持部材ガイド１５のガイド面１５ａとの間に形成している。
【００１５】
回転刃２は、図３に示すようにキャリッジ３に一端が固定された支軸４に、軸受５を介して回転自在に取り付けられており、その回転刃２と一体の軸受５とキャリッジ３の内面との間に介装した圧縮コイルスプリング６により固定刃１側に押圧付勢されている。
【００１６】
また、キャリッジ３の摺動突起２２が形成されている面の内面に受けベアリング７を回転可能に取り付け、その受けベアリング７を回転刃２のカッタ接触面２ａに転接自在に当接させている。それにより、回転刃２のカッタ接触面２ａが固定刃１の刃先に、紙等の被切断物１０の切断に適した接触圧で接触すると共に、回転刃２の矢示Ｅ方向への倒れが受けベアリング７により規制される。
【００１７】
ベルト駆動装置２０は、前述したようにキャリッジ３を固定刃１の長手方向に沿って往復移動させる移動手段であるが、その構成は図４に示すように、固定刃１の長手方向に沿って間隔を置いて装置のフレームに回転可能に取り付けたプーリ２３，２４の間にベルト２１を張装し、プーリ２３あるいは２４の何れかを図示しないモータにより正逆両方向に回転させることにより、ベルト２１を正逆両方向に回動させるものである。
【００１８】
そのベルト２１の内面には、図１に示すように例えば板金でコ字状に形成した係合部材８がリベットかしめやネジ止め等により一体に固定されている。
そして、その係合部材８のコ字状の内側に回転刃２を保持するキャリッジ３を挿入してセットし、ベルト２１を図１の矢示Ｂ方向に回動させたときに、係合部材８の一方の係合部８ａがキャリッジ３の左端面３ａに当接してそれを矢示Ｂ方向に押すため、キャリッジ３が同方向に移動する。
【００１９】
その際、キャリッジ３の摺動突起２２の頂上面と保持部材ガイド１５のガイド面１５ａとの間には、図５で説明したように隙間Ｓを形成しているので、図１の矢示Ｂの往方向に移動する係合部材８の係合部８ａの押圧により、キャリッジ３が同図に示すように回転刃２の進行方向の先端側が固定刃１に密着してそれを押圧する方向（図１で反時計回り方向）に傾きながら、回転刃２が固定刃１との摩擦力により回転しながら矢示Ｂの往方向に移動していく。
【００２０】
したがって、その回転刃２は、進行方向の先端側が固定刃１に強く接した状態のまま矢示Ｂ方向に移動していくので、図３に示した被切断物１０が、例えばフィルムや布テープ等のように腰の弱いものであっても、それを確実に切断することができる。
【００２１】
そして、そのキャリッジ３は往方向の移動限まで移動するとそこで一旦停止し、今度はベルト２１が図２に示すように矢示Ｃの逆方向に回動を開始するため、そのベルト２１と一体で矢示Ｃの復方向に移動する係合部材８の他方の係合部８ｂがキャリッジ３の右端面３ｂに当接してそれを矢示Ｃ方向に押すため、今度はキャリッジ３が同図に示すように、回転刃２の進行方向の先端側が固定刃１に密着してそれを押圧する方向（図２で時計回り方向）に傾きながら、回転刃２が固定刃１との摩擦力により回転しながら矢示Ｃの復方向に移動していく。
【００２２】
したがって、この回転刃２の復方向の移動時にも、その回転刃２は進行方向の先端側が固定刃１に強く接した状態のまま矢示Ｃ方向に移動していくので、この復方向の移動時にフィルムや布テープ等のように腰の弱い被切断物１０を切断しても、それを確実に切断することができる。
このように、このカッタ装置は、回転刃２を往方向と復方向の両方で被切断物１０を確実に切断することができるので、回転刃の一方向の移動側のみを切断工程とするカッタ装置に比べて、２倍の速さで被切断物１０を切断することができる。
【００２３】
図６は異なる形状のキャリッジを使用したプリンタの例を示す平面図であり、図１と対応する部分には同一の符号を付してある。
このキャリッジ３′は、背面３ｃに形成する摺動突起２２′を、そのキャリッジ３′の移動方向の略中間に形成し、そのキャリッジ３′の背面と保持部材ガイド１５のガイド面１５ａとの間に、次のような隙間Ｓを形成している。
【００２４】
すなわち、係合部材８を矢示Ｂの往方向に移動させたときに、キャリッジ３′が回転刃２の進行方向の先端側が固定刃１を押圧する方向（図６で反時計回り方向）に傾き、係合部材８を逆の矢示Ｃの復方向に移動させたときにキャリッジ３′の傾きが逆側に変わって回転刃２の進行方向の先端側が固定刃１を押圧する方向（図６で時計回り方向）に傾くのを許容する隙間Ｓを、キャリッジ３′が傾きを生じていない位置（仮想線図示位置）での背面３ｃと保持部材ガイド１５のガイド面１５ａとの間に形成している。
【００２５】
この実施の形態によるカッタ装置は、上記隙間Ｓによりキャリッジ３′が保持部材ガイド１５のガイド面１５ａに接する摺動突起２２′を支点としてキャリッジ３′の移動に応じて揺動することにより、図１乃至５で説明した実施の形態によるカッタ装置と同様に、回転刃２の進行方向先端側が固定刃１に高い密着度で接した状態のまま移動していくので、フィルムや布テープ等のように腰の弱い被切断物であっても、往方向と復方向の両方についてそれを確実に切断することができる。
【００２６】
【発明の効果】
以上説明したように、この発明によるカッタ装置によれば、回転刃を回転可能に保持する回転刃保持部材が、係合部材を往方向に移動させたときには回転刃の進行方向の先端側が固定刃を押圧する方向に傾き、逆の復方向に移動させたときにはその傾きが逆側に変わって回転刃の進行方向の先端側が固定刃を押圧する方向に傾くので、回転刃は往方向と復方向で共に理想的な状態で固定刃に進行方向の先端側が押圧された状態で回転しながら移動するため、往方向と復方向の両方についてフィルムや布テープ等のように腰の弱い被切断物であっても、それを両方向とも確実に切断することができる。
【図面の簡単な説明】
【図１】この発明によるカッタ装置の要部を一部断面にして示す平面図である。
【図２】同じくそのカッタ装置の回転刃を保持するキャリッジが図１と逆の方向に揺動した状態を示す図１と同様な平面図である。
【図３】同じくそのカッタ装置を側面から見た断面図である。
【図４】同じくそのカッタ装置が備えている移動手段を説明するための平面から見た概略図である。
【図５】同じくそのカッタ装置で保持部材ガイドとキャリッジ背面の摺動突起との間に形成する隙間Ｓを説明するための平面図である。
【図６】この発明の他の実施形態のカッタ装置を示す図１と同様な平面図である。
【図７】従来の固定刃と回転刃とにより被切断物をカットするカッタ装置の例を示す平面図である。
【図８】従来の腰の弱い被切断物を切断可能なカッタ装置の固定刃と回転刃との位置関係を示す平面図である。
【符号の説明】
１：固定刃                    ２：回転刃
３，３′：キャリッジ（回転刃保持部材）
８：係合部材                  １０：被切断物
１５：保持部材ガイド
２０：ベルト駆動装置（移動手段）
【図１】
0004589487.tif 000002
【図２】
0004589487.tif 000003
【図３】
0004589487.tif 000004
【図４】
0004589487.tif 000005
【図５】
0004589487.tif 000006
【図６】
0004589487.tif 000007
【図７】
0004589487.tif 000008
【図８】
0004589487.tif 000009